(57)【要約】【課題】ホッパー本体の下部に設けられた排出口近傍において、壁部に付着した固着物を削ぎ落とすとともに、ホッパー本体内部に存在する大塊を細かく破砕することにより、排出口の閉塞を防止して、排出口から安定して粉体を排出することが可能な粉体ホッパーを提供する。【解決手段】下部に排出口１５を有し、上部から下部に向けて断面積が漸次小さくなるように構成されたホッパー本体１１を備え、ホッパー本体１１の排出口１５の直上には、軸部２１、３１とこの軸部２１、３１の外周面から突出した刃部２２、３２とを有するスクリュー軸２０、３０が配設されており、このスクリュー軸２０、３０は、軸部２１、３１がホッパー本体１１の壁部に対して交差する方向に延在して軸支されるとともに、刃部２２、３２の先端が壁部１２Ａ、１２Ｃに沿うように配置されていることを特徴とする。【選択図】図１
2011121776.tif 000002
【特許請求の範囲】
【請求項１】
下部に排出口を有し、上部から下部に向けて断面積が漸次小さくなるように構成されたホッパー本体を備え、
前記ホッパー本体の前記排出口の直上には、軸部とこの軸部の外周面から突出した刃部とを有するスクリュー軸が配設されており、
このスクリュー軸は、前記軸部が前記ホッパー本体の壁部に対して交差する方向に延在して軸支されるとともに、前記刃部の先端が前記壁部の一部に沿うように配置されていることを特徴とする粉体ホッパー。
【請求項２】
前記スクリュー軸と前記壁部との最近接距離ｒが、２０ｍｍ以上５０ｍｍ以下の範囲内に設定されていることを特徴とする請求項１に記載の粉体ホッパー。
【請求項３】
前記スクリュー軸と前記排出口との間に、軸部とこの軸部の外周面から突出した刃部とを有する破砕用スクリュー軸が配設されていることを特徴とする請求項１又は請求項２に記載の粉体ホッパー。
【請求項４】
前記スクリュー軸及び前記破砕用スクリュー軸は、前記スクリュー軸の前記刃部の先端の回転軌跡と前記破砕用スクリュー軸の前記刃部の先端の回転軌跡とが互いに交差するように、配設されていることを特徴とする請求項３に記載の粉体ホッパー。
【請求項５】
前記ホッパー本体の前記排出口の直上には、少なくとも一対の前記スクリュー軸が配設されており、
これら一対のスクリュー軸は、それぞれの前記刃部の先端が互いに対向する前記ホッパー本体の前記壁部に沿うように、配設されていることを特徴とする請求項１から請求項４のいずれか一項に記載の粉体ホッパー。
【請求項６】
前記一対のスクリュー軸は、互いの前記刃部の先端の回転軌跡同士が交差するように、配設されていることを特徴とする請求項５に記載の粉体ホッパー。
【発明の詳細な説明】
【技術分野】
【０００１】
本発明は、粉体を貯留するとともに粉体を排出口から外部へと排出する粉体ホッパーに関するものである。
【背景技術】
【０００２】
前述の粉体ホッパーは、下部に排出口を有し、上部から下部に向かうに従い漸次断面積が小さくなるように、例えば逆円錐状又は逆四角錐状に構成されたホッパー本体を備えており、ホッパー本体の上部に形成された供給口から粉体が供給され、この粉体を排出口を介して外部へと排出する構成とされている。
【０００３】
ところで、貯留される粉体に水分が含まれていたり、ホッパー本体内部に水分が侵入したりした場合には、ホッパー本体の内壁面に粉体が付着して固着物が発生することがあった。このような固着物が排出口近傍に存在した場合には、この固着物が障害となり、排出口から粉体を安定して排出することができなくなってしまうといった問題があった。
このため、従来より、ホッパー本体の壁部に付着した固着物を除去する手段を備えた粉体ホッパーが提供されている。
【０００４】
例えば、特許文献１、２には、逆円錐形のホッパー本体の中心軸に沿って配設された回転軸と、この回転軸に接続されるとともにホッパー本体の内壁面に沿って移動する板材と、を備えたものが開示されている。
また、特許文献３には、洗浄水ノズルを用いて、温水をホッパー本体の内壁の上方から下方に向けて噴射して固着物を洗い流し、この温水を外部に排出するとともにホッパー本体内部をエアによって乾燥させる構成とされたものが開示されている。
【先行技術文献】
【特許文献】
【０００５】
【特許文献１】特開平０４−３６７４８５号公報
【特許文献２】特開平１０−１１４４３３号公報
【特許文献３】特開２００３−２３６４８３号公報
【発明の概要】
【発明が解決しようとする課題】
【０００６】
ところで、特許文献１、２に記載された発明においては、回転軸が逆円錐形のホッパー本体の中心軸に沿って配置された構成とされている。ここで、排出口の下方側には、排出した粉体を移送する移送手段等が配設されることから、排出口側から回転軸を挿入することは非常に困難であった。このため、特許文献１、２に記載されているように、ホッパー本体の上部から回転軸を挿入する構成とされていた。すると、ホッパー本体の下部に設けられた排出口近傍において固着物を除去しようとした場合には、挿入する回転軸も長くする必要がある。このため、回転軸に大きなモーメントが負荷されることになり、固着物の除去を安定して行うことが困難となるといった問題があった。
さらに、逆円錐形のホッパー本体の中心軸に沿って配置された回転軸を中心として板材を移動させていることから、ホッパー本体の内壁面が逆円錐状又は円筒状をなすものにしか適用できず、例えば、概略逆四角錐状をなすホッパー本体には適用することができなかった。
【０００７】
また、特許文献３に記載された発明においては、温水を使用して固着物を除去していることから除去後のホッパー本体の内壁面が濡れた状態となるため、エアによる乾燥作業が必須となる。このため、乾燥作業中には、粉体をホッパー本体内に供給したり、ホッパー本体から粉体を排出することができなくなるといった問題があった。
【０００８】
さらに、貯留される粉体に水分が含まれていたり、ホッパー本体内部に水分が侵入したりした場合には、これらの水分によって粉体が凝集した大塊が、ホッパー本体内部に存在することがある。このような大塊が排出口近傍に存在した場合には、排出口が閉塞して、排出口から粉体を安定して排出することができなくなってしまうことになる。
ところが、前述した特許文献１−３に記載された発明においては、このようなホッパー本体内部に存在する大塊を粉砕することができなかった。
【０００９】
本発明は、前述した状況に鑑みてなされたものであって、ホッパー本体の下部に設けられた排出口近傍において、壁部に付着した固着物を削ぎ落とすとともに、ホッパー本体内部に存在する大塊を細かく破砕することにより、排出口の閉塞を防止して、排出口から安定して粉体を排出することが可能な粉体ホッパーを提供することを目的とする。
【課題を解決するための手段】
【００１０】
上記課題を解決するために、本発明に係る粉体ホッパーは、下部に排出口を有し、上部から下部に向けて断面積が漸次小さくなるように構成されたホッパー本体を備え、前記ホッパー本体の前記排出口の直上には、軸部とこの軸部の外周面から突出した刃部とを有するスクリュー軸が配設されており、このスクリュー軸は、前記軸部が前記ホッパー本体の壁部に対して交差する方向に延在して軸支されるとともに前記刃部の先端が前記壁部の一部に沿うように、配置されていることを特徴としている。
【００１１】
この構成の粉体ホッパーによれば、排出口の直上に、軸部とこの軸部の外周面から突出した刃部とを有するスクリュー軸が配設され、このスクリュー軸の刃部の先端が前記壁部の一部に沿うように配置されているので、このスクリュー軸を回動させることによって、ホッパー本体の壁部に付着した固着物を削ぎ落とすことができる。また、ホッパー本体内部に存在する大塊を刃部によって粉砕することができる。よって、排出口の閉塞を防止でき、安定して粉体を排出することが可能となる。
【００１２】
また、このスクリュー軸は、その軸線が前記ホッパー本体の壁部に対して交差する方向に延在するように配設されているので、軸部は、ホッパー本体の上部から挿入されるのではなく、排出口近傍において軸支されることになり、スクリュー軸に大きなモーメントが負荷されることがなく、安定してスクリュー軸を回動させることができる。
さらに、ホッパー本体の中心線に沿って軸部を配設しておらず、軸部の外周面から突出した刃部の先端を前記壁部の一部に沿うように構成していることから、逆円錐状をなすホッパー本体以外にも適用することができる。
【００１３】
ここで、前記スクリュー軸と前記壁部との最近接距離ｒが、２０ｍｍ以上５０ｍｍ以下の範囲内に設定されていることが好ましい。
この場合、前記壁部との最近接距離ｒが２０ｍｍ以上５０ｍｍ以下の範囲内に設定されたスクリュー軸によって固着物を確実に削ぎ落とすことができ、ホッパー本体の壁部に付着する固着物の成長を防止することができる。
また、壁部とスクリュー軸との間の間隙が２０ｍｍ以上確保されていることから、万が一、スクリュー軸にがたつき等が生じた場合であっても、スクリュー軸とホッパー本体との接触を防止することができ、安定した操業を行うことができる。
【００１４】
また、前記スクリュー軸と前記排出口との間に、軸部とこの軸部の外周面から突出した刃部とを有する破砕用スクリュー軸が配設されていることが好ましい。
この場合、ホッパー本体の壁部に沿って配設されたスクリュー軸とは別に、破砕用スクリュー軸が配設されているので、ホッパー本体内部に存在する大塊を確実に破砕することができ、排出口の閉塞を防止することができる。
【００１５】
さらに、前記スクリュー軸及び前記破砕用スクリュー軸は、前記スクリュー軸の前記刃部の先端の回転軌跡と前記破砕用スクリュー軸の前記刃部の先端の回転軌跡とが互いに交差するように、配設されていることが好ましい。
この場合、前記スクリュー軸の前記刃部の先端の回転軌跡と前記破砕用スクリュー軸の前記刃部の先端の回転軌跡とが互いに交差するように配設されていることから、削ぎ落とした固着物やホッパー本体内部に存在する大塊を、前記スクリュー軸の前記刃部と前記破砕用スクリュー軸の前記刃部とによって細かく粉砕することが可能となる。よって、排出口の閉塞が確実に防止され、安定して粉体を排出することができる。
【００１６】
また、前記ホッパー本体の前記排出口の直上には、少なくとも一対の前記スクリュー軸が配設されており、これら一対のスクリュー軸は、それぞれの前記刃部の先端が互いに対向する前記ホッパー本体の前記壁部に沿うように、配設されていることが好ましい。
この場合、一対のスクリュー軸によって、対向する壁部に付着した固着物を削ぎ落とすことができ、一つのスクリュー軸自体を小さく構成することが可能となる。
【００１７】
さらに、前記一対のスクリュー軸は、互いの前記刃部の先端の回転軌跡同士が交差するように、配設されていることが好ましい。
この場合、前記刃部の先端の回転軌跡同士が交差するように、一対のスクリュー軸が配設されているので、削ぎ落とした固着物や大塊が、これら一対のスクリュー軸同士の間を通過する際に、確実に細かく粉砕されることになり、排出口の閉塞を防止することができる。
【発明の効果】
【００１８】
このように、本発明によれば、ホッパー本体の下部に設けられた排出口近傍において、壁部に付着した固着物を削ぎ落とすとともに、ホッパー本体内部に存在する大塊を細かく破砕することにより、排出口の閉塞を防止して、排出口から安定して粉体を排出することが可能な粉体ホッパーを提供することができる。
【図面の簡単な説明】
【００１９】
【図１】本発明の一実施形態である粉体ホッパーの断面説明図である。
【図２】図１におけるＸ−Ｘ断面矢視図である。
【図３】図１におけるＹ−Ｙ断面矢視図である。
【図４】図１におけるＺ−Ｚ断面矢視図である。
【図５】本発明の他の実施形態である粉体ホッパーの説明図である。
【図６】本発明の他の実施形態である粉体ホッパーの説明図である。
【発明を実施するための形態】
【００２０】
以下に、本発明の一実施形態である粉体ホッパーについて、図１から図４を参照して説明する。
本実施形態である粉体ホッパー１０は、コークス炉において発生する灰を集塵する集塵装置（図示なし）の下部に配設されており、集塵装置によって集塵された集塵粉を一時貯留するものである。なお、本実施形態では、集塵装置は、バグフィルターを備えていて、粉体ホッパー１０の上方に濾布（図示なし）が配設されており、この濾布に捕捉された集塵粉が粉体ホッパー１０内に供給される構成とされている。この集塵装置では、乾燥粉のみでなく水分を含んだ湿潤粉も併せて集塵している。
【００２１】
本実施形態である粉体ホッパー１０は、上部から下部に向けて断面積が漸次小さくなるように構成されたホッパー本体１１を備えており、このホッパー本体１１の下部に排出口１５が設けられている。
排出口１５の下部には、ロータリーバルブ１８が配設されており、このロータリーバルブ１８を介して、ホッパー本体１１内部に貯留された集塵粉が外部に排出される構成とされている。
【００２２】
ここで、本実施形態におけるホッパー本体１１は、図３及び図４に示すように、水平断面が概略四角形とされ、全体として概略逆四角錐状をなしている。すなわち、このホッパー本体１１の壁部１２は、４つの壁部１２Ａ、１２Ｂ、１２Ｃ、１２Ｄによって構成されており、壁部１２Ａと壁部１２Ｃ、壁部１２Ｂと壁部１２Ｄ、がそれぞれ対向するように構成されている。
【００２３】
そして、ホッパー本体１１の排出口１５の上方には、一対のスクリュー軸２０、３０が配設されている。これら一対のスクリュー軸２０、３０は、円柱状をなす軸部２１、３１と、この軸部２１、３１の外周面から径方向外方に向けて突出した刃部２２、３２と、を備えている。なお、この刃部２２、３２は、軸部２１、３１の周方向に湾曲した形状とされている。
本実施形態では、図３に示すように、刃部２２、３２が軸部２１、３１の軸線方向に間隔を開けて複数設けられることによって形成された刃部列２３、３３を備えており、この刃部列２３、３３が周方向に間隔を開けて複数設けられている。また、周方向に隣接する刃部列２３、３３同士は、軸部２１、３１の軸線方向位置が互いに異なるように構成されている。すなわち、刃部２２、３２は、軸部２１、３１の外周面に千鳥状に配設されているのである。
また、これらの刃部２２、３２は、突出長さが同一となるように構成されており、刃部２２、３２の先端の回転軌跡は円筒状をなすことになる。
【００２４】
そして、図１及び図３に示すように、一対のスクリュー軸２０、３０は、互いの軸部２１、３１が平行に配置されており、互いの刃部２２、３２の先端の回転軌跡同士が交差するように、かつ、刃部２２、３２の湾曲方向が、互いに異なるように、配設されている。
また、これらのスクリュー軸２０、３０は、図３に示すように、軸部２１、３１がホッパー本体１１の壁部１２Ｂ、壁部１２Ｄに交差するように延在して軸支される構成とされており、一方のスクリュー軸２０の刃部２２の先端がホッパー本体１１の壁部１２Ａに沿うように配設され、他方のスクリュー軸３０の刃部３２の先端がホッパー本体１１の壁部１２Ｃに沿うように配設されている。
【００２５】
また、図１及び図２に示すように、一対のスクリュー軸２０、３０と排出口１５との間には、破砕用スクリュー軸４０が配設されている。この破砕用スクリュー軸４０は、前述のスクリュー軸２０、３０と同様に、軸部４１とこの軸部４１の外周面から突出した刃部４２とを備えている。
この破砕用スクリュー軸４０の軸部４１は、一対のスクリュー軸２０、３０の下部に設けられていることから、図２に示すように、スクリュー軸２０、３０の軸部２１、３１よりも長さが短く構成されている。
【００２６】
また、破砕用スクリュー軸４０は、刃部４２が軸部４１の軸線方向に間隔を開けて複数設けられることによって形成された刃部列４３を備えており、この刃部列４３が周方向に間隔を開けて複数設けられている。また、周方向に隣接する刃部列４３同士は、軸部４１の軸線方向位置が互いに異なるように構成されている。すなわち、破砕用スクリュー軸４０の刃部４２は、一対のスクリュー軸２０、３０と同様に、軸部４１の外周面に千鳥状に配設されているのである。
【００２７】
この破砕用スクリュー軸４０は、図１及び図２に示すように、一対のスクリュー軸２０、３０同士の間隙の中心部分に破砕用スクリュー軸４０の軸部４１の軸線が位置するように、かつ、一対のスクリュー軸２０、３０のそれぞれの刃部２２、３２の先端の回転軌跡と破砕用スクリュー軸４０の刃部４２の先端の回転軌跡とが互いに交差するように、配設されている。
【００２８】
そして、スクリュー軸２０、３０及び破砕用スクリュー軸４０と、ホッパー本体１１の壁部１２Ａ，１２Ｂ，１２Ｃ，１２Ｄとの間には、クリアランスが設けられており、スクリュー軸２０、３０及び破砕用スクリュー軸４０とホッパー本体１１の壁部１２Ａ，１２Ｂ，１２Ｃ，１２Ｄとの最近接距離ｒが２０ｍｍ以上５０ｍｍ以下の範囲内に設定されている。すなわち、図１に示すように、一対のスクリュー軸２０、３０の刃部２２、３２の先端とホッパー本体１１の壁部１２Ａ、壁部１２Ｃとのクリアランスが２０ｍｍ以上５０ｍｍ以下とされているのである。
【００２９】
次に、本実施形態である粉体ホッパー１０の使用方法について説明する。
粉体ホッパー１０の上方に設けられた集塵装置から、集塵粉がホッパー本体１１内部に供給される。この集塵粉には水分が含まれており、ホッパー本体１１の壁部１２に付着して固着物が発生することになる。また、集塵装置の濾布に付着した集塵粉は、大きな塊の状態でポッパー本体１１内へと供給されることになる。
【００３０】
ここで、本実施形態では、一対のスクリュー軸２０、３０及び破砕用スクリュー軸４０が、それぞれの軸部２１、３１、４１の軸線を中心として回動することになる。一対のスクリュー軸２０、３０は、図１に示すように、ホッパー本体１１の壁部１２Ａ，１２Ｃに対向する部分において下から上に向かうように、かつ、一対のスクリュー軸２０、３０同士の間隙部分において上から下に向かうように、それぞれ回動させられる。また、破砕用スクリュー軸４０は、他のスクリュー軸３０と同一方向に回動させられることになる。
なお、これら一対のスクリュー軸２０、３０及び破砕用スクリュー軸４０は、それぞれの刃部２２、３２、４２同士が衝突しないように、予めそれぞれの周方向位置が調整されており、一つの駆動源によって同一の回転速度で回動される構成とされている。
【００３１】
ホッパー本体１１の壁部１２Ａに付着した固着物は、一のスクリュー軸２０の刃部２２によって削ぎ落とされ、一対のスクリュー軸２０、３０同士の間隙から下方へと搬送される。また、ホッパー本体１１の壁部１２Ｃに付着した固着物は、他のスクリュー軸３０の刃部３２によって削ぎ落とされ、一対のスクリュー軸２０、３０同士の間隙から下方へと搬送される。さらに、ホッパー本体１１内に供給された大塊は、一対のスクリュー軸２０、３０によって粉砕されながら下方へと搬送される。
また、一対のスクリュー軸２０、３０同士の空隙を介して下方へと搬送された集塵粉は、破砕用スクリュー軸４０によってさらに細かく破砕される。
【００３２】
このようにして、破砕された集塵粉は、排出口１５を介してロータリーバルブ１８によって、連続的に外部へと排出されることになる。
【００３３】
以上のような構成とされた本実施形態である粉体ホッパー１０によれば、ホッパー本体１１の内部に、一対のスクリュー軸２０、３０が配設されており、一のスクリュー軸２０の刃部２２の先端がホッパー本体１１の壁部１２Ａに沿うように配置され、他のスクリュー軸３０の刃部３２の先端がホッパー本体１１の壁部１２Ｃに沿うように配置されているので、これら一対のスクリュー軸２０、３０を回動させることで、ホッパー本体１１の壁部１２Ａ，１２Ｃに付着した固着物を削ぎ落とすことができる。
【００３４】
また、一対のスクリュー軸２０、３０は、その軸部２１、３１がホッパー本体１１の壁部１２Ｂ，１２Ｄに対して交差する方向に延在して軸支されているので、排出口１５近傍にてスクリュー軸２０、３０を軸支して回動させることができ、スクリュー軸２０、３０に大きなモーメントが負荷されることがなく、安定してスクリュー軸２０、３０を回動させることができる。
さらに、一対のスクリュー軸２０、３０の刃部２２、３２を、それぞれホッパー本体１１の壁部１２Ａ，１２Ｃに沿うように配置していることから、スクリュー軸２０、３０自体を小型化することができる。
【００３５】
そして、本実施形態では、一対のスクリュー軸２０、３０が、ホッパー本体１１の壁部１２Ａ，１２Ｃに対向する部分において下から上に向かうように、かつ、一対のスクリュー軸２０、３０同士の間隙部分において上から下に向かうように、それぞれ回動させられているので、ホッパー本体１１の壁部１２Ａ，１２Ｃにおいて削ぎ落とした固着物は、スクリュー軸２０、３０同士の間隙部分を通じて下方へと搬送されることになる。また、ホッパー本体１１内に存在する大塊も、スクリュー軸２０、３０の回動によって案内され、スクリュー軸２０、３０同士の間隙部分を通じて下方へと搬送されることになる。
ここで、一対のスクリュー軸２０、３０が、互いの刃部２２、３２の先端の回転軌跡同士が互いに交差するように配設されているので、削ぎ落とした固着物やホッパー本体１１内に存在する大塊を、一対のスクリュー軸２０、３０同士の間を通過する際に、確実に細かく粉砕することができる。
【００３６】
さらに、一対のスクリュー軸２０、３０と排出口１５との間に、軸部４１とこの軸部４１の外周面から突出した刃部４２とを有する破砕用スクリュー軸４０が配設されているので、ホッパー本体１１内部に存在する大塊を確実に破砕することができ、排出口１５の閉塞を防止することができる。
本実施形態では、一対のスクリュー軸２０、３０及び破砕用スクリュー軸４０が、スクリュー軸２０、３０の刃部２２、３２の先端の回転軌跡と破砕用スクリュー軸４０の刃部４２の先端の回転軌跡とが互いに交差するように、配設されているので、削ぎ落とした固着物や大塊を、さらに細かく粉砕することが可能となる。
【００３７】
また、スクリュー軸２０、３０及び破砕用スクリュー軸４０とホッパー本体１１の壁部１２Ａ，１２Ｂ，１２Ｃ，１２Ｄとの間にクリアランスが設けられており、スクリュー軸２０、３０とホッパー本体１１の壁部１２Ａ，１２Ｂ，１２Ｃ，１２Ｄとの最近接距離ｒが、２０ｍｍ以上５０ｍｍ以下の範囲内に設定されているので、ホッパー本体１１の壁部１２Ａ，１２Ｃに付着した固着物を確実に削ぎ落とすことができ、かつ、スクリュー軸２０、３０及び破砕用スクリュー軸４０とホッパー本体１１の壁部１２Ａ，１２Ｂ，１２Ｃ，１２Ｄとの接触を防止して、安定した操業を行うことができる。
【００３８】
以上のように、ホッパー本体１１内部の壁部に付着した固着物やホッパー本体１１内部に存在する大塊を、一対のスクリュー軸２０、３０と破砕用スクリュー軸４０とによって、粉砕して細かくすることにより、排出口１５の閉塞を確実に防止でき、安定してホッパー本体１１内の集塵粉を外部へと排出することが可能となる。
【００３９】
以上、本発明の実施形態である粉体ホッパーについて説明したが、本発明はこれに限定されることはなく、その発明の技術的思想を逸脱しない範囲で適宜変更可能である。
例えば、コークス炉の集塵装置によって集塵された集塵粉を貯留するものとして説明したが、これに限定されることはなく、貯留される粉体については特に制限はない。
【００４０】
また、スクリュー軸の刃部の突出長さが同一とされ、刃部の先端の回転軌跡が円筒状をなすものとして説明したが、これに限定されることはなく、例えば図５に示すように、刃部１２２、１３２の突出長さが異なり、刃部１２２、１３２の先端の回転軌跡が円錐台状をなすように構成されたスクリュー軸１２０、１３０を用いてもよい。なお、概略逆四角錐状をなすホッパー本体１１１に適用する場合には、軸部１２１、１３１がホッパー本体１１１の壁部１１２に対して斜交するように配設されることになる。
【００４１】
さらに、ホッパー本体を概略逆四角錐状をなすものとして説明したが、これに限定されることはなく、例えば図６に示すように、水平断面が円形となる逆円錐状をなすホッパー本体２１１に適用してもよい。この場合、刃部２２２、２３２の先端がホッパー本体２１１の壁部２１２に沿うように、刃部２２２、２３２の突出長さが設定されたスクリュー軸２２０、２３０を用いることになる。
【００４２】
また、スクリュー軸に形成された刃部の個数や配置、スクリュー軸同士の配置、スクリュー軸とホッパー本体の壁部とのクリアランス等は、本実施形態に限定されることはなく、ホッパー本体の大きさ等を考慮して適宜設定することが好ましい。
さらに、刃部を湾曲した形状としたもので説明したが、これに限定されることはなく、直線刃であってもよいし、軸部の軸線方向に傾斜していてもよい。
【００４３】
また、一対のスクリュー軸及び破砕用スクリュー軸を、一つの駆動源によって回動させる構成として説明したが、これに限定されることはなく、それぞれのスクリュー軸を独立して回動させる構成としてもよい。ただし、互いの刃部同士が接触しないように、スクリュー軸の配置の調整や周速度の制御等を行う必要がある。
【符号の説明】
【００４４】
１０、１１０、２１０  粉体ホッパー
１１、１１１、２１１  ホッパー本体
１２、１１２、２１２  壁部
１５  排出口
２０、１２０、２２０  一のスクリュー軸
２１、１２１、２２１  軸部
２２、１２２、２２２  刃部
３０、１３０、２３０  他のスクリュー軸
３１、１３１、２３１  軸部
３２、１３２、２３２  刃部
４０  破砕用スクリュー軸
４１  軸部
４２  刃部
【図１】
2011121776.tif 000003
【図２】
2011121776.tif 000004
【図３】
2011121776.tif 000005
【図４】
2011121776.tif 000006
【図５】
2011121776.tif 000007
【図６】
2011121776.tif 000008